(57)【特許請求の範囲】
【請求項１】
入退室を管理する居室の出入口に設けられた電気錠付き扉と、
前記扉近傍の室外側に設けられた表示部付き入室用カードリーダーと、
前記居室内を撮像するカメラと、
前記入室用カードリーダーによる前記カメラの映像表示操作時に表示許可者であるか否かを判別し、表示許可者である場合に前記入室用カードリーダーの表示部に前記カメラによる室内映像を表示させ、前記カメラによる室内映像の表示終了後に、前記入室用カードリーダーによる入室時操作に基づいて入室許可者であるか否かを判別し、入室許可者である場合に前記扉の電気錠を一時解錠する制御部と
を備えた入退室管理装置。
【請求項２】
請求項１に記載の入退室管理装置において、
前記扉近傍の室内側に設けられた退室用カードリーダーをさらに備え、
前記制御手段は、前記入室用カードリーダーの表示部による室内映像の表示時に、不審者発見に基づく前記入室用カードリーダーによる操作に基づいて前記退室用カードリーダーによる退室時操作を禁止させる
ことを特徴とする入退室管理装置。
【発明の詳細な説明】
【技術分野】
【０００１】
この発明は、建物や居室への入退室を管理する入退室管理装置に関するものである。
【背景技術】
【０００２】
従来、建物や居室への入退室を管理する入退室管理装置として、例えば居室と外部との出入口に電気錠付き扉を設けると共に、扉の近傍に、表示部付き入室用カードリーダーと表示部付き退室用カードリーダーを設けたものがある。
【０００３】
この入退室管理装置において、入室時は、表示部付き入室用カードリーダーの表示部に表示された操作ガイダンスに従ってカードを操作することにより、データ照合がなされ、照合結果、入室許可者であった場合は、扉の電気錠を一時解錠する。同様に、退室時は、表示部付き退室用カードリーダーの表示部に表示された操作ガイダンスに従ってカードを操作することにより、データ照合がなされ、照合結果、退室許可者であった場合は扉の電気錠を一時解錠する。
【０００４】
また、カードを操作すると、カード情報、操作場所、日時と共に操作した人の映像を記録することにより、第三者が盗用または複製したカードを悪用することを監視して警備性を向上させる入退室管理装置がある（例えば、特許文献１参照）。
【０００５】
【特許文献１】特開２００５−７６３７８号公報
【発明の開示】
【発明が解決しようとする課題】
【０００６】
しかしながら、上述した従来の入退室管理装置において、室内に不審者がいた場合、不審者を事前に検出できない問題点があった。
【０００７】
この発明は上述した点に鑑みてなされたもので、入室時のカード操作時に室内に不審者が潜んでいないかを事前に確認して安全性を高めることができる入退室管理装置を得ることを目的とする。
【課題を解決するための手段】
【０００８】
この発明に係る入退室管理装置は、入退室を管理する居室の出入口に設けられた電気錠付き扉と、前記扉近傍の室外側に設けられた表示部付き入室用カードリーダーと、前記居室内を撮像するカメラと、前記入室用カードリーダーによる前記カメラの映像表示操作時に表示許可者であるか否かを判別し、表示許可者である場合に前記入室用カードリーダーの表示部に前記カメラによる室内映像を表示させ、前記カメラによる室内映像の表示終了後に、前記入室用カードリーダーによる入室時操作に基づいて入室許可者であるか否かを判別し、入室許可者である場合に前記扉の電気錠を一時解錠する制御部とを備えたものである。
【発明の効果】
【０００９】
この発明によれば、入室時操作の前に、入室用カードリーダーによるカメラの映像表示操作時に表示許可者であるか否かを判別し、表示許可者である場合に入室用カードリーダーの表示部にカメラによる室内映像を表示させることにより、入室前に室内の様子を知ることができ、室内に不審者が潜んでいないかを事前に確認することができ、安全性を高めることができる。
【発明を実施するための最良の形態】
【００１０】
図１は、この発明の実施の形態に係る入退室管理装置の構成を示す居室の平面図である。図１に示すように、この発明の実施の形態に係る入退室管理装置は、入退室管理する制御手段としての制御装置１と、居室の出入口に設けられた電気錠付き扉４近傍の室外側に設けられた表示部付き入室用カードリーダー２と、前記扉４近傍の室内側に設けられた表示部付き退室用カードリーダー３と、居室内を撮像するカメラ５とを備えている。
【００１１】
ここで、制御装置１は、表示部付き入室用カードリーダー２によるカメラ５の映像表示操作時に表示許可者であるか否かを判別し、表示許可者である場合に表示部付き入室用カードリーダー２の表示部にカメラ５による室内映像を表示させ、カメラ５による室内映像の表示終了後に、表示部付き入室用カードリーダー２による入室時操作に基づいて入室許可者であるか否かを判別し、入室許可者である場合に扉４の電気錠を一時解錠するようになされており、これにより、入室前に室内の様子を知ることができ、室内に不審者が潜んでいないか事前に確認することができるようになっている。
【００１２】
また、制御装置１は、表示部付き入室用カードリーダー２の表示部による室内映像の表示時に、不審者発見に基づく表示部付き入室用カードリーダー２による操作に基づいて表示部付き退室用カードリーダー３による退室時操作を禁止させるようになされており、これにより、不審者を発見した場合は、不審者を室外に出さないようにしている。
【００１３】
次に、上記構成を備える入退室管理装置の動作について、主に、制御装置１の制御内容である図２に示すフローチャートを参照して説明する。表示部付き入室用カードリーダー２にて、室内カメラ５の映像を表示する操作が行われた場合（ステップ１）は、制御装置１によるデータ照合を行い、表示許可者であった場合（ステップ２）のみ、表示部付き入室用カードリーダー２の表示部に室内カメラ５の映像を表示させる（ステップ３）。
【００１４】
このとき、室内に不審者を発見した場合（ステップ４）は、表示部付き入室用カードリーダー２を操作して、室内の表示部付き退室用カードリーダー３の退室時操作の禁止操作をして、不審者が退室できないようにする（ステップ５）。カメラ映像の表示を終了する場合（ステップ６）は、表示部付き入室用カードリーダー２を操作して表示を終了させる（ステップ７）。その後、入室する場合は、表示部付き入室用カードリーダー２にてカードを操作し（ステップ８）、制御装置１によるデータ照合の結果、入室許可者であった場合（ステップ９）は、扉４の電気錠を一時解錠する（ステップ１０）。
【００１５】
従って、上記実施の形態によれば、表示部付き入室用カードリーダー２の表示部に室内に設置されたカメラ５の映像を表示できるようにしたので、入室前に室内の様子を知ることができ、室内に不審者が潜んでいないか事前に確認することができ、安全性を高めることができる。
【００１６】
また、不審者を発見した場合は、退室用カードリーダー３の退室時操作の禁止操作をして、不審者が退室できないようにすることができる。
【図面の簡単な説明】
【００１７】
【図１】この発明の実施の形態に係る入退室管理装置の構成を示す居室の平面図である。
【図２】図１に示す入退室管理装置の主に制御装置１の制御内容を示すフローチャートである。
【符号の説明】
【００１８】
１  制御装置、２  表示部付き入室用カードリーダー、３  表示部付き退室用カードリーダー、４  電気錠付き扉、５  カメラ。
【図１】
0004642668.tif 000002
【図２】
0004642668.tif 000003